(57)【要約】  【課題】目視による印象が分かるように複数の多彩模様を整理配置した多彩模様のマップ、その作成方法、作成システム、作成プログラム及びデータ構造を提供すること。  【解決手段】本作成方法は、異なる色の領域が複数混在する各多彩模様に関して、各多彩模様の複数の色のうち、任意の２色のＬ＊ａ＊ｂ＊表色系における明度差ｄＬ＊の最大値を、第１のパラメータとして取得し、複数の色のうち、任意の２色の色度（ａ＊，ｂ＊）をＬ＊ａ＊ｂ＊表色系のａ＊-ｂ＊平面にプロットした２つの点とａ＊-ｂ＊平面の原点とを頂点とする三角形の面積の総和を、第２のパラメータとして取得し（Ｓ１〜Ｓ３）、複数の多彩模様を、取得された各々の第１及び第２のパラメータの値に対応する２次元平面上の位置に配置する（Ｓ４）。【選択図】図４
2010009211.tif 000002
【特許請求の範囲】
【請求項１】
異なる色の領域が複数混在する多彩模様の人間の目視による印象を表現し得る第１及び第２のパラメータを座標軸とする２次元平面上に複数の多彩模様を配置したマップであって、
前記第１のパラメータが、前記多彩模様を構成する複数の前記色のうちの任意の２色のＬ＊ａ＊ｂ＊表色系における明度差ｄＬ＊の最大値であり、
前記第２のパラメータが、前記多彩模様を構成する複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和であり、
複数の前記多彩模様が、前記第１及び第２のパラメータを座標軸とする前記２次元平面上において、各々の算出された前記第１及び第２のパラメータの値に対応する位置に配置されることを特徴とする多彩模様を配置したマップ。
【請求項２】
前記Ｌ＊ａ＊ｂ＊値が、
前記多彩模様の塗板に対して４５度の角度から照射された光を、正反射光からの変角として４５度の角度から測定した分光反射率から計算される、又は、
前記多彩模様の前記色のＲＧＢ値又はＸＹＺ値から計算されることを特徴とする請求項１に記載の多彩模様を配置したマップ。
【請求項３】
複数の前記色の中に観察角度によって色の見え方が異なるメタリック色が存在する場合、前記メタリック色のＬ＊ａ＊ｂ＊値が、前記メタリック色の代表角度において測定された分光反射率から計算されることを特徴とする請求項１又は請求項２に記載の多彩模様を配置したマップ。
【請求項４】
前記２次元平面がカラーディスプレイの画面であり、配置される前記多彩模様が、複数の前記色のＬ＊ａ＊ｂ＊値、ＲＧＢ値、又はＸＹＺ値を元に作成された前記多彩模様のＣＧ画像、または前記多彩模様の撮像によって得られた電子画像である、又は、
前記２次元平面が紙または樹脂フィルムであり、配置される前記多彩模様が、前記多彩模様の塗膜、前記多彩模様の撮像によって得られた写真、もしくは電子画像の印刷物、又は前記多彩模様の前記ＣＧ画像の印刷物であることを特徴とする請求項１〜３の何れか一項に記載の多彩模様を配置したマップ。
【請求項５】
前記第１のパラメータが、前記明度差ｄＬ＊の前記最大値を正規化して得られた値であり、
前記第２のパラメータが、前記総和を正規化して得られた値であることを特徴とする請求項１〜４の何れか一項に記載の多彩模様を配置したマップ。
【請求項６】
前記多彩模様が、建築内装に使用される模様であり、
前記第１のパラメータが、前記明度差ｄＬ＊の前記最大値を２倍する正規化により得られた値であり、
前記第２のパラメータが、前記総和に１００／３１４を乗じる正規化により得られた値であることを特徴とする請求項５に記載の多彩模様を配置したマップ。
【請求項７】
配置される前記多彩模様は、前記第１のパラメータの値が１０以上であり、前記第２のパラメータの値が５０以上であることを特徴とする請求項６に記載の多彩模様を配置したマップ。
【請求項８】
異なる色の領域が複数混在する多彩模様の人間の目視による印象を表現し得る第１及び第２のパラメータを座標軸とする２次元平面上に複数の多彩模様を配置したマップの作成方法であって、
各前記多彩模様に関して、各々の複数の前記色のうちの任意の２色のＬ＊ａ＊ｂ＊表色系における明度差ｄＬ＊の最大値を、前記第１のパラメータとして取得するステップと、
各前記多彩模様に関して、各々の複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和を、前記第２のパラメータとして取得するステップと、
前記第１及び第２のパラメータを座標軸とする前記２次元平面上において、複数の前記多彩模様を、取得された各々の前記第１及び第２のパラメータの値に対応する位置に配置するステップとを含むことを特徴とする多彩模様を配置したマップの作成方法。
【請求項９】
異なる色の領域が複数混在する多彩模様の人間の目視による印象を表現し得る第１及び第２のパラメータを座標軸とする２次元平面上に複数の多彩模様を配置したマップの作成プログラムであって、
コンピューターに、
各前記多彩模様に関して、各々の複数の前記色のうちの任意の２色のＬ＊ａ＊ｂ＊表色系における明度差ｄＬ＊の最大値を、前記第１のパラメータとして求める第１の機能と、
各前記多彩模様に関して、各々の複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和を、前記第２のパラメータとして求める第２の機能と、
前記第１及び第２のパラメータを座標軸とする前記２次元平面上において、求められた各々の前記第１及び第２のパラメータの値に対応する位置に、前記多彩模様を描画する第３の機能とを実現させることを特徴とする多彩模様を配置したマップの作成プログラム。
【請求項１０】
演算装置と分光光度計とを備え、
異なる色の領域が複数混在する多彩模様の人間の目視による印象を表現し得る第１及び第２のパラメータを座標軸とする２次元平面上に複数の多彩模様を配置したマップを作成するシステムであって、
前記多彩模様を構成する複数の前記色のそれぞれに関して、前記分光光度計によって分光反射率が測定され、
測定された前記分光反射率が前記演算装置に伝送され、
前記演算装置が、
前記分光反射率を用いて、前記多彩模様を構成する複数の前記色のＬ＊ａ＊ｂ＊表色系におる色特徴量Ｌ＊、ａ＊、及びｂ＊を求め、
前記多彩模様を構成する複数の前記色のうちの任意の２色のＬ＊ａ＊ｂ＊表色系におる明度差ｄＬ＊の最大値を前記第１のパラメータとして求め、
前記多彩模様を構成する複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和を、前記第２のパラメータとして求め、
前記第１及び第２のパラメータを座標軸とする前記２次元平面上において、求められた各々の前記第１及び第２のパラメータの値に対応する位置に、前記多彩模様を配置して多彩模様のマップを作成することを特徴とする多彩模様を配置したマップの作成システム。
【請求項１１】
異なる色の領域が複数混在する多彩模様の人間の目視による印象を表現し得る第１及び第２のパラメータを座標軸とする２次元平面上に複数の多彩模様を配置した多彩模様のマップを作成するためのデータ構造であって、
前記２次元平面上の座標を表す前記第１及び第２のパラメータの値と、前記多彩模様の人間の目視による印象を特定する情報とが対応するように構成され、
前記第１のパラメータの値が、
前記多彩模様を構成する複数の前記色のうちの任意の２色のＬ＊ａ＊ｂ＊表色系におる明度差ｄＬ＊の最大値であり、
前記第２のパラメータの値が、
前記多彩模様を構成する複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和であることを特徴とする多彩模様を配置したマップのデータ構造。
【請求項１２】
異なる色の領域が複数混在する多彩模様を準備するステップと、
前記多彩模様を構成する複数の前記色のうちの任意の２色のＬ＊ａ＊ｂ＊表色系における明度差ｄＬ＊の最大値を第１のパラメータとして取得するステップと、  前記多彩模様を構成する複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和を第２のパラメータの値として取得するステップと、
前記第１のパラメータの値が第１の値以上であり、前記第２のパラメータの値が第２の値以上である前記多彩模様を、色覚異常者によって多彩模様として認識され得る多彩模様として評価するステップと
を含むことを特徴とする多彩模様の評価方法。
【請求項１３】
前記多彩模様が、建築内装に使用される模様であり、
前記第１のパラメータが、前記明度差ｄＬ＊の前記最大値を２倍する正規化により得られた値であり、
前記第２のパラメータが、前記総和に１００／３１４を乗じる正規化により得られた値であり、
前記第１の値が、１０であり、前記第２の値が、５０である
ことを特徴とする請求項１２に記載の多彩模様の評価方法。
【発明の詳細な説明】
【技術分野】
【０００１】
本発明は、多彩模様を人間の心理的なイメージに応じて平面上に配置したマップ、その作成方法、作成プログラム、作成システム、及びデータ構造に関する。
【背景技術】
【０００２】
多彩模様とは、複数の色が混在する模様を意味する。図１には、２例の多彩模様の中間調画像を示している。左側の多彩模様（ａ）は、下地が多彩模様形成用塗料の着色粒子によって完全に被覆されて着色粒子の３つの色彩ｃ１〜ｃ３のみを視認することができる。これに対して、右側の多彩模様（ｂ）は、下地色ｂｇを含む４つの色彩を視認することができる。図１の（ｃ）、（ｄ）はそれぞれ（ａ）、（ｂ）の一部を拡大した状態を模式的に示している。
【０００３】
このような多彩模様は、多くの場合、遠距離からは一様な色に見える一方、近距離からは異なる色の分布による意匠的な特性を感じることができる。多彩模様は、それを構成する色やその模様の形状によって印象が大きく異なることから、意匠についての嗜好性が高い各種の工業製品や建築物の内外装に適用される場合がある。例えば建築内装分野を例に挙げると、住宅の設計者やインテリア・コーディネーターが、顧客の嗜好、建具や部材の機能や素材を考慮して、無限に存在する多彩模様の中からどのような多彩模様を適用するかを提案する。それに対して、顧客は、提案された多彩模様の見本を参照して適用する多彩模様を決定する。または、提案された多彩模様色見本から多少変更されたものを希望する場合がある。その場合、設計者やインテリア・コーディネーターは、顧客の希望を考慮して前回提案した多彩模様とは異なるものを顧客に提案することになる。このような設計者やインテリア・コーディネーターと顧客とのコミュニケーションを円滑に行なうためには、人間が多彩模様を観察したときに受ける主観を反映し、体系的に分類された多彩模様の見本が有効である。
【０００４】
下記特許文献１には、人間の主観に基づく「質感」と建材、内装材、家具等の物体とを結びつけることができるデザイン支援用の道具として、心理的なイメージを言葉で表現する質感を数値化して、数値化した質感値を２次元座標系にプロットしたチャートが記載されている。具体的には、物体の分光反射率や表面粗さ、弾性定数等の物理量から変換用関数を使用して質感値を計算する技術が開示されている。
【特許文献１】特開平５-４５２５８号公報
【特許文献２】特開２００８-１２２３３５号公報
【特許文献３】特開２００８-３００１８号公報
【発明の開示】
【発明が解決しようとする課題】
【０００５】
しかしながら、特許文献１に開示された方法での建材、内装材、家具等の物体に対する人間の触感及び視覚的な主観に基づく「質感」は、多彩模様から受ける人間の感性・印象とは異なるものであり、多彩模様の分類に応用することはできない。
【０００６】
多彩模様は、一般的には構成する色の特徴や、模様の形状、構成する各色の面積によって特徴付けることができるため、いずれかの特徴を数値化し、それを基準にして分類整理することが可能である。しかし、多岐にわたる多彩模様を特定の基準で分類整理しても、多彩模様の印象を表わすものになるとは限らず、設計現場の設計者やインテリア・コーディネーターと顧客とのコミュニケーションに使用するには十分ではない。
【０００７】
また、多彩模様に対する人間の主観あるいは心理的なイメージを表現する言葉、例えば、鮮やか感、落着き感、派手感、地味感、シック感、涼しげ感・・・など及びその程度を表す言葉は尽きないので、これらの心理的なイメージにマッチする多彩模様を迅速に提示するためにはこれらのイメージに応じて種々の多彩模様をまず整理分類することが非常に重要である。
【０００８】
さらに、ある多彩模様が健常者にとっては好適なデザインであっても色弱者にとっては多彩模様感が感じられない色彩の組み合わせである場合がある。教育施設や、商業施設、公民館、展示ホールなどの公共性の高い施設に対しては特にバリアフリーが求められている現代においては、色弱者にとっても多彩模様として認識され得る色彩の組み合わせを提供することがますます重要になっている。
【０００９】
従って、本発明の目的は、膨大な組み合わせから所望の特徴の多彩模様を容易に発見できるように、複数の多彩模様を、人間が多彩模様を観察したときに受ける主観、印象に応じて配置した多彩模様のマップ、その作成方法、作成プログラム、作成システム及びデータ構造を提供することにある。
【００１０】
本発明の更なる目的は、健常者はもとより、色弱者にも多彩模様として認識され得る多彩模様を配置したマップ、その作成方法、作成プログラム、作成システム及びデータ構造を提供することにある。
【課題を解決するための手段】
【００１１】
本発明に係る多彩模様を配置したマップ（１）は、異なる色の領域が複数混在する多彩模様の人間の目視による印象を表現し得る第１及び第２のパラメータを座標軸とする２次元平面上に複数の多彩模様を配置したマップであって、前記第１のパラメータが、前記多彩模様を構成する複数の前記色のうちの任意の２色のＬ＊ａ＊ｂ＊表色系における明度差ｄＬ＊の最大値であり、前記第２のパラメータが、前記多彩模様を構成する複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和であり、複数の前記多彩模様が、前記第１及び第２のパラメータを座標軸とする前記２次元平面上において、各々の算出された前記第１及び第２のパラメータの値に対応する位置に配置されることを特徴とする。
【００１２】
また、本発明に係る多彩模様を配置したマップ（２）は、上記多彩模様を配置したマップ（１）において、前記Ｌ＊ａ＊ｂ＊値が、前記多彩模様の塗板に対して４５度の角度から照射された光を、正反射光からの変角として４５度の角度から測定した分光反射率から計算される、又は、前記多彩模様の前記色のＲＧＢ値又はＸＹＺ値から計算されることを特徴とする。
【００１３】
また、本発明に係る多彩模様を配置したマップ（３）は、上記多彩模様を配置したマップ（１）又は（２）において、複数の前記色の中に観察角度によって色の見え方が異なるメタリック色が存在する場合、前記メタリック色のＬ＊ａ＊ｂ＊値が、前記メタリック色の代表角度において測定された分光反射率から計算されることを特徴とする。
【００１４】
また、本発明に係る多彩模様を配置したマップ（４）は、上記多彩模様を配置したマップ（１）〜（３）のいずれかにおいて、前記２次元平面がカラーディスプレイの画面であり、配置される前記多彩模様が、複数の前記色のＬ＊ａ＊ｂ＊値、ＲＧＢ値、又はＸＹＺ値を元に作成された前記多彩模様のＣＧ画像、または前記多彩模様の撮像によって得られた電子画像である、又は、前記２次元平面が紙または樹脂フィルムであり、配置される前記多彩模様が、前記多彩模様の塗膜、前記多彩模様の撮像によって得られた写真、もしくは電子画像の印刷物、又は前記多彩模様の前記ＣＧ画像の印刷物であることを特徴とする。
【００１５】
また、本発明に係る多彩模様を配置したマップ（５）は、上記多彩模様を配置したマップ（１）〜（４）のいずれかにおいて、前記第１のパラメータが、前記明度差ｄＬ＊の前記最大値を正規化して得られた値であり、前記第２のパラメータが、前記総和を正規化して得られた値であることを特徴とする。
【００１６】
また、本発明に係る多彩模様を配置したマップ（６）は、上記多彩模様を配置したマップ（５）において、前記多彩模様が、建築内装に使用される模様であり、前記第１のパラメータが、前記明度差ｄＬ＊の前記最大値を２倍する正規化により得られた値であり、前記第２のパラメータが、前記総和に１００／３１４を乗じる正規化により得られた値であることを特徴とする。
【００１７】
また、本発明に係る多彩模様を配置したマップ（７）は、上記多彩模様を配置したマップ（６）において、配置される前記多彩模様は、前記第１のパラメータの値が１０以上であり、前記第２のパラメータの値が５０以上であることを特徴とする。
【００１８】
本発明に係る多彩模様を配置したマップの作成方法は、異なる色の領域が複数混在する多彩模様の人間の目視による印象を表現し得る第１及び第２のパラメータを座標軸とする２次元平面上に複数の多彩模様を配置したマップの作成方法であって、各前記多彩模様に関して、各々の複数の前記色のうちの任意の２色のＬ＊ａ＊ｂ＊表色系における明度差ｄＬ＊の最大値を、前記第１のパラメータとして取得するステップと、各前記多彩模様に関して、各々の複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和を、前記第２のパラメータとして取得するステップと、前記第１及び第２のパラメータを座標軸とする前記２次元平面上において、複数の前記多彩模様を、取得された各々の前記第１及び第２のパラメータの値に対応する位置に配置するステップとを含むことを特徴とする。
【００１９】
本発明に係る多彩模様を配置したマップの作成プログラムは、異なる色の領域が複数混在する多彩模様の人間の目視による印象を表現し得る第１及び第２のパラメータを座標軸とする２次元平面上に複数の多彩模様を配置したマップの作成プログラムであって、コンピューターに、各前記多彩模様に関して、各々の複数の前記色のうちの任意の２色のＬ＊ａ＊ｂ＊表色系における明度差ｄＬ＊の最大値を、前記第１のパラメータとして求める第１の機能と、各前記多彩模様に関して、各々の複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和を、前記第２のパラメータとして求める第２の機能と、前記第１及び第２のパラメータを座標軸とする前記２次元平面上において、求められた各々の前記第１及び第２のパラメータの値に対応する位置に、前記多彩模様を描画する第３の機能とを実現させることを特徴とする。
【００２０】
本発明に係る多彩模様を配置したマップの作成システムは、演算装置と分光光度計とを備え、異なる色の領域が複数混在する多彩模様の人間の目視による印象を表現し得る第１及び第２のパラメータを座標軸とする２次元平面上に複数の多彩模様を配置したマップを作成するシステムであって、前記多彩模様を構成する複数の前記色のそれぞれに関して、前記分光光度計によって分光反射率が測定され、測定された前記分光反射率が前記演算装置に伝送され、前記演算装置が、前記分光反射率を用いて、前記多彩模様を構成する複数の前記色のＬ＊ａ＊ｂ＊表色系におる色特徴量Ｌ＊、ａ＊、及びｂ＊を求め、前記多彩模様を構成する複数の前記色のうちの任意の２色のＬ＊ａ＊ｂ＊表色系におる明度差ｄＬ＊の最大値を前記第１のパラメータとして求め、前記多彩模様を構成する複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和を、前記第２のパラメータとして求め、前記第１及び第２のパラメータを座標軸とする前記２次元平面上において、求められた各々の前記第１及び第２のパラメータの値に対応する位置に、前記多彩模様を配置して多彩模様のマップを作成することを特徴とする。
【００２１】
本発明に係る多彩模様を配置したマップのデータ構造は、異なる色の領域が複数混在する多彩模様の人間の目視による印象を表現し得る第１及び第２のパラメータを座標軸とする２次元平面上に複数の多彩模様を配置した多彩模様のマップを作成するためのデータ構造であって、前記２次元平面上の座標を表す前記第１及び第２のパラメータの値と、前記多彩模様の人間の目視による印象を特定する情報とが対応するように構成され、前記第１のパラメータの値が、前記多彩模様を構成する複数の前記色のうちの任意の２色のＬ＊ａ＊ｂ＊表色系におる明度差ｄＬ＊の最大値であり、前記第２のパラメータの値が、前記多彩模様を構成する複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和であることを特徴とする。
【００２２】
本発明に係る多彩模様の評価方法（１）は、異なる色の領域が複数混在する多彩模様を準備するステップと、前記多彩模様を構成する複数の前記色のうちの任意の２色のＬ＊ａ＊ｂ＊表色系における明度差ｄＬ＊の最大値を第１のパラメータとして取得するステップと、前記多彩模様を構成する複数の前記色のうちの任意の２色の色度（ａ＊，ｂ＊）をＬ＊ａ＊ｂ＊表色系のａ＊-ｂ＊平面にプロットした２つの点と前記ａ＊-ｂ＊平面の原点とを頂点とする三角形の面積の総和を第２のパラメータの値として取得するステップと、前記第１のパラメータの値が第１の値以上であり、前記第２のパラメータの値が第２の値以上である前記多彩模様を、色覚異常者によって多彩模様として認識され得る多彩模様として評価するステップとを含むことを特徴とする。
【００２３】
また、本発明に係る多彩模様の評価方法（２）は、上記多彩模様の評価方法（１）において、前記多彩模様が、建築内装に使用される模様であり、前記第１のパラメータが、前記明度差ｄＬ＊の前記最大値を２倍する正規化により得られた値であり、前記第２のパラメータが、前記総和に１００／３１４を乗じる正規化により得られた値であり、前記第１の値が、１０であり、前記第２の値が、５０であることを特徴とする。
【発明の効果】
【００２４】
本発明によれば、多くの多彩模様を、人間が多彩模様を観察したときに受ける主観を表現し得る２つのパラメータを座標軸とする平面上に配置することができ、多彩模様を人間の主観と整合するように整理分類することができる。
【００２５】
本発明に係る多彩模様を配置したマップによって、多彩模様を表す主観的かつ抽象的な用語による表現から受ける印象を可視化することができる。即ち、顧客が所望する多彩模様が抽象的な言葉で表現された場合でも、設計側のデザイナーは、本発明に係る多彩模様のマップを用いることによって多彩模様を容易に特定することができる。従って、本発明に係る多彩模様を配置したマップは、多彩模様に携わる者の間での多彩模様に係わる情報の伝達に有用である。
【００２６】
さらに、本発明に係る多彩模様を配置したマップによって、色弱者でも多彩模様として認識できる多彩模様を容易に提供することができる。
【発明を実施するための最良の形態】
【００２７】
まず、本発明における分類整理する対象である多彩模様について詳しく説明する。
【００２８】
多彩模様とは、図１に示すような異なる色の領域が混在している模様を意味する。多彩模様は、例えば、着色された基材上に、多彩模様形成用塗料が塗装されて得られた塗膜を挙げることができる。ここで多彩模様形成用塗料とは、塗膜形成成分に、複数の着色粒子が分散された塗料を意味する。日本工業規格（ＪＩＳ）では、多彩模様塗料は、液状又はゲル状の２色以上の色の粒が懸濁したもので、１回の塗装で色散らし模様が形成できる塗料と定義されている。また、多彩模様は、複数のノズルを持つスプレーガンを使用して、異なる色彩の塗料を同時に塗装して得られた塗膜であってもよい。
【００２９】
多彩模様の認識に関して、重要なのは、多彩模様の異なる色の斑点の形状や面積率よりも、含まれている色が視覚心理に影響することである。よって、図１の多彩模様（ａ）のように着色粒子が面積率１００％で基材（下地）を被覆している場合には、考慮する色の数が、着色粒子の色数ｎ（ここでは、ｎ＝３）である。しかし、下地色が非隠蔽で視認可能な図１の多彩模様（ｂ）の場合には、考慮する色に下地色が加わり、ｎ＋１となる。さらに、多彩模様を構成する色は、観察角度によって色の見え方が変化しないソリッド色や、観察角度によって色の見え方が異なるメタリック色であることができる。
【００３０】
次に、本願発明の多彩模様を配置したマップの作成に係わる基本概念を説明する。
【００３１】
通常、多彩模様の異なる色の斑点の間に明度差がある。この明度差が大きいほど、着色粒子をハッキリと視認でき、キャラクター性が強い。逆にこの明度差が小さければ、即ちコントラストが小さければ落ち着いた印象を与える。このように、使用される色の明度差が多彩模様の印象を大きく左右する。
【００３２】
また、多彩模様における彩度、色相の組み合わせに関して、たとえば赤と緑のように補色同士が同時に使用されると、多彩模様はキャラクター性が強く、派手なイメージが感じられる。他方では、例えば、赤とオレンジのように近似する色相が同時に使用されると、落ち着き感があると感じられる。このように、使用される色の間の、色度の広がり、即ち色相の離れ程度も多彩模様の印象を大きく左右する。
【００３３】
本願発明の発明者はカラーデザイナーのニーズから、上記したような人間が受ける多彩模様の印象を大きく左右する明度差、及び色度の広がりの２次元で多彩模様を図２に示すように表現することが実用上有益であると判断した。そして、鋭意研究を行い、明度差、及び色度の広がりを元に多彩模様の意匠特性を効果的に表現するパラメータを創意的に発見し、定量化の研究を重ね、パラメータの算法を開発した。それらのパラメータを座標軸とする２次元平面に多彩模様を配置してマップ化を図った。本願発明はこれらの事項の成功に帰することと言える。
【００３４】
以下、本発明の実施の形態に関して図面を参照して詳細に説明する。
【００３５】
図３は、本発明の実施の形態に係る多彩模様を配置したマップの作成システムの概略構成を示すブロック図である。本多彩模様を配置したマップの作成システムは、演算装置１、分光光度計２、及び画像提示装置３を備えている。
【００３６】
演算装置１は、各部を制御し、後述する所定の処理を実行するＣＰＵ１１と、メモリ１２と、記録部１３と、外部からの指示を受け付ける操作部１４と、操作部１４及び外部機器とのインタフェースの役割をするインタフェース部（以下、Ｉ／Ｆ部と記す）１５と、各部の間でデータを伝送するためのデータバス１６とを備えている。演算装置１は、Ｉ／Ｆ部１５を介して、分光光度計２によって測定された分光反射率を取得する。図３には、分光光度計２の測定対象である、基材を塗装して得られた被測定物（塗膜とも記す）４も示している。画像提示装置３は、例えばフルカラー表示が可能なディスプレイやフルカラー印刷が可能なプリンタである。後述するように、ＣＰＵ１１は、作成した多彩模様の２次元マップをＩ／Ｆ部１５を介して画像提示装置３に伝送し、カラー画像として提示（例えば、カラー表示、カラー印刷）する。
【００３７】
本多彩模様を配置したマップの作成システムは、１）複数の多彩模様画像を集め、２）集めた複数の多彩模様画像を同じサイズの電子データに統一し、そして、３）多彩模様の２次元マップを作成する。また、必要な場合には、３）を行う前に、集めた各々の画像を解析して（例えば、特開２００８−１２２３３５に記載されているような主成分分析）色毎にグループし、グループ毎に多彩模様の２次元マップを作成する。
【００３８】
図４は、図３に示した多彩模様を配置したマップの作成システムの動作を示すフローチャートである。以下、図４に示したフローチャートに基づいて、多彩模様を配置したマップの作成システムの動作について、適宜実施例を交えて説明する。言い換えれば、多彩模様形成用塗料による多彩模様塗膜を分類整理する方法について実例を挙げながら説明を行う。なお、この実例では、多彩模様画像を集める代わりに、実際の多彩模様塗膜を作成して分光反射率を測定することにより、多彩模様の色を表す色特徴量を算出することとする。
【００３９】
以下の説明においては、特に断らない限りＣＰＵ１１が行う処理として説明する。ＣＰＵ１１は、メモリ１２をワーク領域として使用して、必要なデータ（設定値、処理途中のデータなど）を一時記憶し、記録部１３に計算結果などの長期保存するデータを適宜記録する。また、予め、特定の色や色見本を特定するための情報であるカラーコードと、色データであるＲＧＢデータ及び／又はＬ＊ａ＊ｂ＊、ＸＹＺデータとが対応されて記録部１３に記録されている。また、画像提示装置３がカラーディスプレイであるとする。
【００４０】
ステップＳ１：  多彩模様形成用塗料に配合される着色粒子の選択及び製作
着色粒子の色、即ち、形成される模様の斑点の色は任意に選択してもよいが、検証を容易にするために、本実施の形態では、公知の色見本をもとに選択するとした。具体的には、一例として、色デザイナーのようなオペレータは、着色粒子の色として、表１及び図５に示めす２４色を選択した。
【００４１】
【表１】
2010009211.tif 000003
これらの２４色は、対応色票番号に表されているように社団法人日本塗料工業会  ２００７年Ｄ版  塗料用標準色（以下、日塗工色という）から選択され、ここにカラーコードとしてＸ０１〜Ｘ２４までのコード番号を付与された。なお、図５のカラーパレットに示すように、２４色は、淡彩色、中彩色から色域に偏りがないように選択されている。
【００４２】
各着色粒子の色は、日塗工色の見本と同一であるので、日塗工色（ポケット版）のサンプルに対して測色を行った。測色には、オペレータは、４５／０度タイプの分光光度計を使用し、光源として標準の光Ｄ６５を使用した。即ち、サンプルの測定面に対して４５度の角度から照射した光を、正反射光から変角として４５度の角度で計測し、簡単に言えば、４５度照射、０度受光の条件で測定を行った。測定された分光反射率のデータは、Ｉ／Ｆ部１５を介して演算装置１に伝送され、各着色粒子のコード情報と対応させて記録部１３に記録される。
【００４３】
ＣＰＵ１１は、入力された測定データをもとに、表１に示すような着色粒子のＬ＊ａ＊ｂ＊表色系における色を表す特徴量Ｌ＊、ａ＊、及びｂ＊、並びにＬ＊ｃ＊ｈ表色系における色を表す特徴量ｃ＊及びｈを算出して、着色粒子のカラーコードと対応させて記録部１３に記録する。ここで、Ｌ＊ａ＊ｂ＊表色系とは、１９７６年に国際照明委員会（ＣＩＥ）で規格化され、日本でもＪＩＳ  Ｚ８７２９において採用されている人間の目視による印象に近い表色系であって、明度をＬ＊、色相及び彩度を表わす色度をａ＊及びｂ＊で表わしたものである。また、Ｌ＊ｃ＊ｈ表色系においては、ｃ＊は彩度を表わしており、ｈは色相角度を表している。
【００４４】
着色粒子の製作にあたって、着色粒子の色が、着色粒子に含まれる着色材の種類や量によって決定されるため、オペレータはまず、基本の着色材、例えば、白、黒、赤、茶、黄土、緑、青、黄の着色材を決め、操作部１４を操作してそれらの情報をＩ／Ｆ部１５を介して記録部１３に記録させる。
【００４５】
次に、ＣＰＵ１１は、記録部１３から取得した各着色粒子に対応して計測された上記の分光反射率、及び予め記録されている着色材の色を表す特徴量を用いて、ＣＣＭ（コンピュータ・カラー・マッチング）を行い、着色粒子に配合される各着色材及びその比率、即ち、配合比率を決定する。それらの決定結果を、着色粒子のカラーコードと対応させて記録部１３に記録する。
【００４６】
計算された着色材の種類及びその配合比率に基づき、オペレータは、例えば特開２００８−３００１８号公報に実施例１として記載されているような調製方法で着色粒子を作製する。
【００４７】
このステップＳ１の処理の繰り返しにより、複数の種類の着色粒子が製作され、それらの色特徴量が抽出されることになる。表１には、製作した２４種類の着色粒子の各々の色特徴量をそれぞれのコード番号及び色票番号と対応させて示している。
【００４８】
ステップＳ２：  多彩模様形成用塗料、そして多彩模様塗膜の製作
多彩模様は、模様を識別できない遠距離から観察した場合にはある１つの色に見えるが、模様を識別できる近距離では着色粒子の種類及び比率が異なることが分かる。この遠距離から見た１つの色を目標色とする。このような多彩模様の意匠や多彩模様形成の安定性の点から、多彩模様形成用塗料には通常１〜３種類の着色粒子が使用される。従って、オペレータは、まず、目標色を決め、下地色を目標色と同色にし、そして、ステップＳ１において用意した着色粒子から３種類の着色粒子を選択して１つの多彩模様を作成した。
【００４９】
具体的には、目標色（模様を識別できない遠距離から観察した場合の色）に、日塗工色の見本帳における色票番号Ｄ３５−９０Ａの淡彩のグリーン色、及び色票番号Ｄ１５−８０Ｆの中彩のオレンジ色を選択し、これらの２つの目標色に見える多彩模様を各々３種類準備した。図６は、目標色Ｄ３５−９０Ａ及びＤ１５−８０Ｆの見本の中間調画像と各々の色情報を併せて示している。
【００５０】
ＣＰＵ１１は目標色と同色になるように３種類の着色粒子のそれぞれの配合比率を算出する。表２は、決定された６セットの多彩模様形成用塗料（ａ１〜ａ３、ｂ１〜ｂ３）の具体的な着色粒子の組み合わせ、即ち、それぞれの３種類の着色粒子の種類及び配合比率を示している。例えば、多彩模様形成用塗料ａ３は、着色粒子Ｘ０５が４９％、Ｘ１０が４６％、及びＸ１２が５％で配合される。
【００５１】
【表２】
2010009211.tif 000004
なお、実際には、模様を識別できない遠距離から観察した場合の平均の色が目標色と成るように、さらに色差を計算して着色粒子の組み合わせを選別した。ここで、色差は、３つの着色粒子の併置加法混色から得た色と、上記の目標色であるＤ３５−９０Ａ（淡彩のグリーン色）またはＤ１５−８０Ｆ（中彩のオレンジ色）との色差である。
【００５２】
Ｌ＊ａ＊ｂ＊表色系においては、色差ｄＥ＊は、下記の式によって計算され得る。
【００５３】
ｄＥ＊＝ｓｑｒｔ（ｄＬ＊×ｄＬ＊＋ｄａ＊×ｄａ＊＋ｄｂ＊×ｄｂ＊）  （式１）
ここで、ｄＬ＊，ｄａ＊，ｄｂ＊はそれぞれ２つの色のＬ＊、ａ＊、及びｂ＊間の差分であり、ｓｑｒｔは平方根を求めることを意味する。
【００５４】
そして、例えば建築分野において色の差異の分別が難しいと思われる色差が２以下となるような組み合わせのみを残し、その他の着色粒子の組み合わせを廃棄する。このようにして、遠距離から観察すれば目標色になる多彩模様を形成する塗料の着色粒子の種類及び配合比率が決定されることになる。
【００５５】
決定された上記６セットの着色粒子の組み合わせのいずれも、表２に示しているように色差は２以下であり、建築分野において十分に小さく、目標とする多彩模様を得られていると言える。
【００５６】
以上のように決定された各セットの３種類の着色粒子を、決定された配合比率で透明な塗膜形成成分（ビヒクル）と混合して、多彩模様形成用塗料を製造した。
【００５７】
そして、日塗工色の見本帳における色票番号Ｄ３５−９０ＡまたはＤ１５−８０Ｆの見本に対応する色の基材上に、製造された多彩模様形成用塗料を塗装して、多彩模様塗膜を製作した。
【００５８】
このステップＳ２の処理を繰り返すことによって、所望の数の多彩模様を得ることができる。
【００５９】
ステップＳ３：  ステップＳ２で製作された多彩模様の意匠特性を特徴付ける心理的なパラメータの算出
Ｓ３１．第１のパラメータ（コントラスト度）の算出
第１のパラメータは、多彩模様における複数の異なる色のうち、任意の２色のＬ＊ａ＊ｂ＊表色系における明度差ｄＬ＊の最大値として定義される。
【００６０】
明度差ｄＬ＊の最大値は、次のように求められる。多彩模様を構成する色（下地色が見える多彩模様の場合には下地色を含む）の中から任意の２つの色を選択して、２つの明度Ｌ＊の差分の絶対値である明度差ｄＬ＊を求める。１つの多彩模様を構成する全ての色の組み合わせについて明度差ｄＬ＊を求め、その中の最大値を第１のパラメータ、即ち、コントラスト度（Ｃｏｎｔｒａｓｔ）とする。
【００６１】
次に、上記ステップＳ２で製作された、配合比率がそれぞれ４９％、４６％、及び５％の着色粒子Ｘ０５、Ｘ１０、及びＸ１２が配合された多彩模様形成用塗料ａ３、且つ、形成された多彩模様においてＤ３５−９０Ａ（淡彩のグリーン）の下地が見える場合を例に、第１のパラメータの計算方法を説明する。
【００６２】
形成された多彩模様はＤ３５−９０Ａの下地が見えるので、図６に示した下地色Ｄ３５−９０Ａの明度（Ｌ＊=９２.１）をも考慮に入れる。したがって、下地色が、表１に示すような明度がそれぞれ９０.９、９１.２、及び７０.６である着色粒子Ｘ０５、Ｘ１０、及びＸ１２のそれぞれに対する明度差は以下のようになる。
【００６３】
明度差１（下地 - Ｘ０５）＝｜９２.１ - ９０.９｜ ＝ １.２ 
明度差２（下地 - Ｘ１０）＝｜９２.１ - ９１.２｜ ＝ ０.９
明度差３（下地 - Ｘ１２）＝｜９２.１ - ７０.６｜ ＝ ２１.５
また、３つの着色粒子間の明度差は以下のようになる。
【００６４】
明度差４（Ｘ０５ - Ｘ１０）＝｜９０.９ - ９１.２｜ ＝ ０.３
明度差５（Ｘ０５ - Ｘ１２）＝｜９０.９ - ７０.６｜ ＝ ２０.３
明度差６（Ｘ１０ - Ｘ１２）＝｜９１.２ - ７０.６｜ ＝ ２０.６
従って、塗料ａ３を用いて形成された淡彩のグリーン色の下地が見える多彩模様において、最大明度差  ｍａｘ ｄＬ＊ は、１.２、０.９、２１.５、０.３、２０.３、及び２０.６の内の最大値、即ち２１.５となる。
【００６５】
また、多彩模様見本の適切な散布図を得、且つ、コントラスト度の最大値を１００程度に合わすために、淡彩系が多い建築内装用多彩模様でよく採用されるように最大明度差ｄＬ＊=５０を１００に正規化した。ｄＬ＊＝５０を基準に正規化すると、上記計算された最大明度差は １００.０×２１.５／５０＝４３となる。
【００６６】
この第１のパラメータは、多彩模様を構成する色彩間の明度差であるコントラスト度を表す指数であり、大きいほど着色粒子がハッキリと認識できる。即ち、このコントラスト度が大きいと、多彩模様が色鮮やかであり、明るいイメージを与えるが、このコントラスト度が小さいと、多彩模様が落ち着いて調和の取れた感じを与える。
【００６７】
Ｓ３２．第２のパラメータ（多色度）の算出
第２のパラメータは次のように定義される。多彩模様を構成する色（下地色が見える多彩模様の場合には下地の色を含める）の各々の色度（ａ＊、ｂ＊）をＬ＊ａ＊ｂ＊空間内にプロットする。明度は考慮しないのでａ＊及びｂ＊を座標軸とするａ＊-ｂ＊平面に、各々の色度に対応したプロットがなされたことになる。次に、プロットされた任意の２つの点と原点を頂点とする三角形の面積を求める。１つの多彩模様について、すべてのこのような三角形の面積の和を第２のパラメータ、即ち、多色度（Ｍｕｌｔｉｃｏｌｏｒ）とする。
【００６８】
次に、図７を参照しながら、上記Ｓ３１で例に挙げたのと同一の多彩模様を使用して、第２のパラメータの計算方法を説明する。
【００６９】
図７は、図６に示す色度(−２．０，４．９)を有する基材Ｄ３５−９０Ａと、塗料ａ３に使用されている３種類の着色粒子Ｘ０５、Ｘ１０、及びＸ１２とのａ＊-ｂ＊平面においてプロットされた点のうち、任意の２つの点及び平面の原点からなる三角形を示す図である。２つの色のａ＊-ｂ＊平面上の位置が(ａ１，ｂ１)、(ａ２，ｂ２)とすると、原点(０,０)とこれらの２点で囲まれる三角形の面積は、｜０.５×(ａ１×ｂ２ - ａ２×ｂ１) ｜で計算できる。従って、４つの色のうち、任意の２色の各々が原点と共に形成する三角形の面積は以下のとおりである。
【００７０】
図７（ａ）において、色１（Ｘ０５）と、色２（Ｘ１０）、色３（Ｘ１２）、及び色４（ここでは、下地色ｂｇ）のいずれか１つと、原点とからなる三角形を示している。
【００７１】
色１、原点、及び色２で囲まれる三角形の面積＝２１．７６
色１、原点、及び色３で囲まれる三角形の面積＝２６０．７７
色１、原点、及び色４で囲まれる三角形の面積＝１８．３５
図７（ｂ）においては、色２と、色３及び色４のいずれか１つと、原点とからなる三角形を示している。
【００７２】
色２、原点、及び色３で囲まれる三角形の面積＝１０１．７
色２、原点、及び色４で囲まれる三角形の面積＝１３．４７
図７（ｃ）においては、色３と色４と原点とからなる三角形を示している。
【００７３】
色３、原点、及び色４で囲まれる三角形の面積＝７５．６
以上６つの三角形の面積の合計は、４９１．６である。
【００７４】
この計算結果を第２のパラメータとしてもよいが、第２のパラメータをより分かりやすい、およそ１０〜３００の指数にするために、一般に住宅の内装に使う多彩模様の彩度を基準にして、上記の計算結果を基準面積３１４で正規化した。
【００７５】
この３１４という数値は、表色系（Ｌ＊、ｃ＊、ｈ）において、着色粒子の平均彩度ｃ＊が１０とすると、これを半径とする円の面積が、１０×１０×３.１４＝３１４であることに由来する。表１の着色粒子の彩度の平均値はｃ＊＝１４.５であるが、一般に住宅の内装に使う多彩模様の彩度は５〜１５程度と無彩色に近いので、ここではｃ＊＝１０の円の面積３１４が１００となるように、正規化を行い、第２のパラメータを算出することにした。従って、第２のパラメータは、１００×４９１．６/３１４＝１５６となった。
【００７６】
このように、第２のパラメータ（多色度）は、ａ＊ - ｂ＊平面上で任意の２つの着色粒子及び原点を頂点とする三角形の面積の総和として算出した。この指数が大きいほど、つまり、色の広がり、多色度が大きいほど、多彩模様がにぎやかな派手な印象を与え、小さいほど多彩模様が落ち着いてシンプルな印象を与える。
【００７７】
Ｓ３３．その他の指数の算出
上記のコントラスト度と多色度をもとに、別の指数である派手度（Ｃｏｌｏｒｆｕｌｎｅｓｓ)を求めることができる。派手度の値は、下記の式２のとおり、コントラスト度及び多色度を座標軸とする平面上にプロットした点と原点との間の距離として計算される。
【００７８】
派手度  ＝ ｓｑｒｔ(コントラスト度２+ 多色度２)                    （式２）
この派手度は、横軸がコントラスト度（右に行くほどコントラストが大）、縦軸が多色度（上に行くほど多色度が大）とした座標において、右上へ行くほど、派手度の値が大きく、多彩模様が派手である。逆に、左下へ行くほど、派手度の値が小さく、多彩模様が地味である。
【００７９】
図８は、上記Ｓ３１及びＳ３２で説明したのと同一の多彩模様に対して、派手度の計算方法を示す図である。この多彩模様の派手度は、ｓｑｒｔ(４３２ + １５６２)＝１６１である。
【００８０】
このような追加的な指数により、提案する多彩模様の特徴をより多面的に把握することできる。
【００８１】
このように、ステップＳ３において、Ｓ３１〜Ｓ３３に示したパラメータ、指数の算出を多彩模様ごとに繰り返して行うことにより、各多彩模様の特徴を反映するパラメータ及び指数を算出することができる。
【００８２】
表２には、ステップＳ２において用意した６種類の多彩模様に対して、上記Ｓ３１〜Ｓ３３において説明した算法でそれぞれの第１のパラメータ（コントラスト度）、第２のパラメータ（多色度）、及び派手度を計算した結果を示している。
【００８３】
ステップＳ４：  心理的なパラメータを基準に多彩模様のマップ化
Ｓ４１．多彩模様を配置したマップの作成
上記したように多彩模様の心理的なイメージや印象を表す第１及び第２のパラメータが決定されたら、第１のパラメータを横軸、第２のパラメータを縦軸とする樹脂フィルムの２次元平面（マッピング平面）上に、各々の上記パラメータの値に対応した位置にそれぞれの多彩模様塗膜を配置して多彩模様の２次元マップを完成した。
【００８４】
マッピング平面が紙や樹脂フィルムのような材料の場合には、多彩模様を配置したマップは、上記のように実際に作成された多彩模様塗膜を貼り付けされてなるものであっても良いが、多彩模様の写真や印刷物などを貼り付けされてもよい。
【００８５】
マッピング平面が画像提示装置３のカラーディスプレイの場合には、多彩模様を配置したマップは、図９に示すような、カラーディスプレイ上に多彩模様のＣＧ（コンピュータ・グラフィックス）画像を配置した多彩模様のＣＧマップであってもよい。
【００８６】
例えば、記録部１３から、対応させて記録されている多彩模様を構成する着色粒子、配合比率、及びＬ＊ａ＊ｂ＊データを取得し、Ｌ＊ａ＊ｂ＊データをＲＧＢデータへ変換する。また、同様に下地色についても、記録部１３からデータを取得し、Ｌ＊ａ＊ｂ＊データをＲＧＢデータへ変換する。そして、変換されたＲＧＢデータを用いて、マッピング平面であるカラーディスプレイ上で、所定の大きさの多彩模様（図形）が、その第１及び第２のパラメータに対応する位置に描画されるようにＣＧデータを生成する。このようなＣＧデータをカラーディスプレイにプロットすることにより、多彩模様のＣＧ画像を配置したＣＧマップを作成することができる。
【００８７】
図９は、表２の結果に基づき、カラーディスプレイ上にフルカラーでプロットした多彩模様のＣＧマップの中間調画像である。多彩模様のＣＧ画像は特開２００８−３００１８に記載されている多彩模様のＣＧ画像の作成方法を用いて作成された。
【００８８】
表２と図９から分かるように、多色度が大きい多彩模様は、派手度も大きい。コントラスト度が小さく、多色度も小さい多彩模様は、派手度が小さく、地味になりがちことが分かる。
【００８９】
より詳しくは、単彩緑色のＤ３５-９０Ａに近似する平均の色度（多彩模様を視認できない距離から見た場合の色度）を有する多彩模様ａ１、ａ２、ａ３を比較すると、最も派手なのはａ３、最も地味なのはａ１である。単彩オレンジ色Ｄ１５-８０Ｆに近似する平均の色度を有する多彩模様ｂ１、ｂ２、ｂ３を比較すると、ｂ１はコントラスト度と多色度が最も大きく派手であり、ｂ３はコントラスト度と多色度が小さく地味である。
【００９０】
色が異なる単彩緑系Ｄ３５-９０Ａ及びオレンジ系Ｄ１５-８０Ｆの６種類の多彩模様を合わせて比較すると、最も派手な多彩模様はｂ１であり、最も地味な多彩模様はａ１である。ａ３（コントラスト度４３、多色度１５６）とｂ１（コントラスト度６２、多色度３５９）を比べると、コントラスト度は同程度であるが、多色度はｂ１の方が倍くらい大きいため、派手度もｂ１の方が倍くらい大きい。
【００９１】
Ｓ４２．色弱を配慮した多彩模様のマップの作成
色覚異常の中で赤と緑との区別がつきにくい人（赤緑色覚異常）が多く、赤を感じる錐体系の異常の場合は第１色覚異常、緑を感じる錐体系の異常の場合は第２色覚異常と呼ばれる。また非常にまれではあるが青、黄色が見えにくい青錐体系の異常（第３色覚異常）もある。このため、補色を用いた多彩模様は色弱者には多彩模様と感じられないことがある。
【００９２】
色弱者がある画像を観察するときに実際に認識した画像を予測する方法は様々な文献にあるが、色弱者に配慮を払うための指数なるものはない。バリアフリーの観点からホームページの作成のガイドラインとしてＷ３ＣではＲＧＢ値から明度差、色差の規定が発表されている。しかし、これは文字の表示等のサインの認識度の観点から決められたもので、下地と文字の明度差は非常に大きく、且つ使用する文字の色の色相差が非常に大きい設定になっている。一方、多彩模様のように着色粒子の併置加法混色の色が下地色になる場合は、Ｗ３Ｃが規定するほど大きな色差は発生しない。
【００９３】
そこで、伊藤光学工業（株）と太平印刷（株）が発売しているバリアフリー確認用メガネ（商品名 Ｖａｒｉａｎｔｏｒ、第２色覚異常をシミュレーション可能）を実際にデザイナーが装着して、様々な多彩模様を観察し、色弱者の視認のシミュレーションを行い、次の結果が得られた。即ち、コントラスト度が１０以下、且つ多色度が５０以下になると、色弱者は多彩模様として認識できなくなる。
【００９４】
従って、コントラスト度が１０以下且つ多色度が５０以下となるような多彩模様の周りに「色弱者への配慮不足」のようなメッセージまたは特別な標識を付して表示することにより、色弱者に配慮した多彩模様のマップを作成することができる。なお、コントラスト度が１０以下且つ多色度が５０以下とならない多彩模様のみでマップ（ＣＧマップを含む）を作成してもよい。
【００９５】
表２に示した６つの多彩模様のそれぞれのコントラスト度及び多色度をチェックして分かるように、多彩模様ａ１（コントラスト度=３、多色度=６４）は一応上記の条件を満たすが、色弱者への対応が不十分である。即ち、コントラスト度及び多色度からなる指標との照合により多彩模様がバリアフリーとなっているか否かが分かり、多彩模様の２次元マップから多彩模様を選択して提案するとき、特別な標識を付して表示されているａ１のような多彩模様を避けて選択すれば、バリアフリーの多彩模様を容易に提案することができる。また、ａ１のような多彩模様を排除してマップを作成すれば、色弱者が多彩模様を正確に認識できる優しいマップを作成することができる。
【００９６】
このように、２次元マップに複数の多彩模様の実物の塗膜又は画像を配置することによって、類似する印象を受ける多彩模様を相互に近接させて配置することができ、多彩模様から受ける印象をグループ化して整理分類することができる。さらに、２次元マップ上に各多彩模様を表す微小な画像を配置可能なので、印象が可視化されて、デザイナー及び顧客間の情報伝達に有用である。即ち、顧客が所望する多彩模様が抽象的な言葉で表現された場合でも、設計会社のデザイナーは、本発明に係る多彩模様の２次元マップを見れば多彩模様を容易に特定することができる。
【００９７】
また、上記した実施の形態において、塗装によって多彩模様を得る方法としては、多彩模様形成用塗料を有色の基材に塗装するか、異なる色彩の塗料を同時に塗装する方法を挙げたが、本発明は多彩模様の整理分類に関するので、多彩模様の形成方法はこれらに限定されない。
【００９８】
また、多くの場合、多彩模様は、図１に示す多彩模様（ａ）及び（ｂ）のように、円形の打点（面積を有する。以下同じ）から構成されることが多いが、四角形、三角形、不定形、ストライプ状の打点から構成されていても本発明を適用できる。且つ、特定の色の面積率が大きいか小さいかに拘わらずに、色の数に関係してパラメータや指数を決定する。従って、多彩模様を具現化する材質を問わず、塗料、シール、フィルム、タイル、カーペット等の複数の色が視認できる柄に本発明を適用することができる。
【００９９】
また、上記では、多彩模様を構成する色のＬ＊値等を予め分光光度計を使用して求めた。しかし、多彩模様のデジタルやアナログ画像が直接に入力される場合、画像解析により構成する色のＲＧＢ値を求め、ＲＧＢ値から公知の関数を使用してＬ＊ａ＊ｂ＊表色系の値に変換することもできる。また、実際の多彩模様の色の斑点が測色機器で測定できるほど大きな面積でない場合、既存の色見本（マンセルブックや日本塗料工業界発行の標準見本帳）を用いて目視で近似色を検索してその色とすることも可能である。さらに、着色粒子の色がメタリック色の場合、分光反射率は、各メタリック色の代表角度において測定されたものであってもよい。
【０１００】
また、ステップＳ１及びステップＳ２において着色材及び着色粒子の配合比率の算出、着色粒子及び多彩模様の製作は、任意の公知の手法に基づいて行われてもよい。
【０１０１】
さらに、多彩模様のＣＧ画像が、多彩模様をデジタルカメラなどの撮像装置によって撮像し、又はスキャナによってスキャンして演算装置１に画像データとして取り入れることを通じて得られることもできる。画像提示装置３がカラープリンタなどの印刷装置の場合、ＣＧデータを印刷装置に出力することにより、印刷されたＣＧマップを作成することもできる。もちろん、多彩模様のＣＧマップのみを作成する場合、実際の塗料及び多彩模様塗膜を作成せず、数値シミュレーションのみを行ってもよい。
【０１０２】
さらに、上記では、建築内装用の多彩模様を例に、第１パラメータ及び第２パラメータをそれぞれ１０及び５０以上に限定すれば、バリアフリーの多彩模様が得られることを説明した。それはあくまでも一例に過ぎず、他の分野でも上記説明したように多彩模様に対して例えば視認シミュレーション等を行なえば、その分野に適用できる第１パラメータ及び第２パラメータのバリアフリー指標値を得ることができる。よって、まず、多彩模様を作成するなどして準備し、そして、準備された多彩模様の各々に関して第１及び第２パラメータを取得し、それぞれが所定のバリアフリー指標値を超えたか否かを判断することにより、その分野のバリアフリーの多彩模様を評価することができる。もちろん、パラメータの正規化もその分野に応じて実施することができる。
【０１０３】
以上では、本発明を具体的な実施の形態及び実施例によって説明したが、本発明は、決してそれに限定されるものではなく、本発明に係る多彩模様を配置したマップ、及びその作成システムは、本発明の趣旨から逸脱しない範囲で種々変更して実現することが可能である。また、本発明に係る多彩模様を配置したマップの作成方法、作成プログラム及びデータ構造に関しても、本発明の趣旨から逸脱しない範囲で種々の変更が可能である。
【図面の簡単な説明】
【０１０４】
【図１】２例の多彩模様の中間調画像及び模式図である。多彩模様（ａ）は下地が着色粒子によって完全に隠蔽されて見えないが、多彩模様（ｂ）は下地が見える。（ｃ）と（ｄ）はそれぞれ、多彩模様（ａ）及び（ｂ）の下地及び着色粒子間の関係を示す模式図である。
【図２】本発明に係る多彩模様を配置したマップの概念を示す図である。
【図３】本発明の実施の形態に係る多彩模様を配置したマップの作成システムの概略構成を示すブロック図である。
【図４】本発明の実施の形態に係る多彩模様を配置したマップの作成システムの動作を示すフローチャートである。
【図５】カラーパレットにおける、本発明の実施の形態において使用された着色粒子の位置を示す図である。
【図６】本発明において使用された２つの下地の中間調画像である。
【図７】本発明に係る第２のパラメータの算出方法を説明する図である。
【図８】本発明に係る派手度の算出方法を説明する図である。
【図９】本発明の実施の形態に係る多彩模様を配置したマップの作成方法によって作成された、多彩模様を配置したＣＧマップの中間調画像である。
【符号の説明】
【０１０５】
１    演算装置
２    分光光度計
３    画像提示装置
４    被測定物
１１  ＣＰＵ
１２  メモリ
１３  記録部
１４  操作部
１５  インタフェース部（Ｉ／Ｆ部）
１６  バス
【図３】
2010009211.tif 000005
【図４】
2010009211.tif 000006
【図１】
2010009211.tif 000007
【図２】
2010009211.tif 000008
【図５】
2010009211.tif 000009
【図６】
2010009211.tif 000010
【図７】
2010009211.tif 000011
【図８】
2010009211.tif 000012
【図９】
2010009211.tif 000013